(57)【特許請求の範囲】
【請求項１】
ハウジングを含み、前記ハウジングの中の上部には上方に開口した収納空間が設けられ、前記ハウジングの中の右部には伝動空間が設けられ、前記伝動空間の中には本願発明に動力を供給する伝動機構が設けられ、前記収納空間の中にはルーターを冷却する放熱装置が設けられ、前記ハウジングの右端には防塵効果を果たす埃集め機構が設けられ、
前記埃集め機構は前記収納空間の右壁に位置する羽根空間を含み、前記羽根空間が左方へ開口しており、前記羽根空間の右壁には外部と連通した吸気口が前記羽根空間と連通するように設置され、前記吸気口の上壁には下方に開口した移動空間が設けられ、前記移動空間の中には前記移動空間の中で左右にスライドできる移動ブロックが設けられ、前記移動ブロックの左面には圧縮ばねが固定的に設けられ、前記圧縮ばねの左端が前記移動空間の左壁と連結され、前記移動ブロックの右面には引き縄が固定的に連結され、前記移動ブロックの下面には前記吸気口の中に位置する濾過ブロックが固定的に設けられ、前記濾過ブロックの中には右方に開口したスライド溝が形成され、前記スライド溝の中には前記スライド溝の中で上下にスライドできる濾過板が設けられ、前記吸気口の下壁には収集空間が設けられ、前記収集空間の中には前記収集空間の中で左右に移動できる収集ブロックが設けられ、前記収集ブロックの左端には左方に開口した制限空間が設けられ、前記制限空間の中には前記制限空間の中で上下に移動できる制限ブロックが設けられ、前記制限ブロックの下面には復帰ばねが固定的に設けられ、前記復帰ばねの下端が前記制限空間の下壁と連結され、前記制限ブロックの左面には固定ブロックが固定的に設けられ、前記固定ブロックの中には下方に開口したスライド空間が設けられ、前記スライド空間の中には前記スライド空間の中で左右にスライドできるスライドブロックが設けられ、前記スライドブロックの右面には弾性ばねが固定的に設けられ、前記弾性ばねの右端が前記スライド空間の右壁と連結され、前記固定ブロックの上面が前記濾過板の下面と固定的に連結され、前記スライドブロックの下面にははざおが固定的に設けられ、前記はざおの前端面が回転歯車と噛合しており、前記固定ブロックの下面には弾力ばねが固定的に設けられ、前記弾力ばねの下端が前記収集空間の下壁と連結され、
前記伝動機構は、前記伝動空間の下壁に固定されたモーターを含み、前記モーターの上端には伝動軸が伝動できるように連結され、前記伝動軸の上端が前記羽根空間の中に挿入され、前記伝動軸の下端には第一傘歯車がキーによって連結され、前記第一傘歯車の中には上方に開口した回転空間が設けられ、前記回転空間の中には前記回転空間の中でスライドできる滑りブロックが設けられ、前記滑りブロックの上面には前記引き縄が固定的に連結され、前記伝動軸には前記第一傘歯車の下側に位置する回転盤が設けられ、前記回転盤の上面には二本の引っ張りばねが固定的に設けられ、前記引っ張りばねの上端が前記第一傘歯車の下面と連結され、前記伝動空間の右壁には回転軸が回転できるように設けられ、前記回転軸の左端には第二傘歯車が設けられ、前記回転軸の右端には前記回転歯車が設けられていることを特徴とする防塵機能付きのルーター放熱補助装置。
【請求項２】
前記収集空間の下壁には上方に開口した押しブロック空間が設けられ、前記押しブロック空間の中には前記押しブロック空間の中で上下に移動できる押しブロックが設けられ、前記押しブロックの下面には伸縮ばねが固定的に設けられ、前記伸縮ばねの下端が前記押しブロック空間の下壁と連結され、前記押しブロックの左面にはロープが固定的に設けられ、前記伝動空間の左壁には右方に開口した妨害ブロック空間が設けられ、前記妨害ブロック空間の中には前記妨害ブロック空間の中で左右に移動できる妨害ブロックが設けられ、前記妨害ブロックの左面には圧力ばねが固定的に設けられ、前記圧力ばねの左端が前記妨害ブロック空間の左壁と連結され、前記妨害ブロックの左面には前記ロープの一端が固定的に連結されていることを特徴とする請求項１に記載の防塵機能付きのルーター放熱補助装置。
【請求項３】
前記放熱装置は、前記伝動軸の上端に設けられ且つ前記羽根空間の中に位置する第三傘歯車を含み、前記羽根空間の右壁にファン軸が回転できるように設けられ、前記ファン軸の右端には前記第三傘歯車と噛合した第四傘歯車が設けられ、前記ファン軸の左端には二つの羽根が設けられ、前記収納空間の中にはルーターが置かれていることを特徴とする請求項１に記載の防塵機能付きのルーター放熱補助装置。
【請求項４】
前記引っ張りばねの牽引力と前記第一傘歯車の重力との和は、前記第一傘歯車が前記伝動軸でスライドするときに受けた摩擦力より大きいことを特徴とする請求項１に記載の防塵機能付きのルーター放熱補助装置。
【発明の詳細な説明】
【技術分野】
【０００１】
本願発明は無線通信分野を取り上げて、具体的には防塵機能付きのルーター放熱補助装置である。
【背景技術】
【０００２】
無線通信ネットワーク技術は、軍事、医療、都市建設などのさまざまな分野で広く使用されている。ルーターは、無線通信に必須の通信機器である。ルーターは、動作中に発熱することがあるため、動作状態に影響する。
現在、ほとんどのルーターは放熱機能がないため、ルーターに対して放熱補助を行う必要があり、しかし、一般的な放熱装置はルーターに対する防塵機能がない。
【先行技術文献】
【特許文献】
【０００３】
【特許文献１】中国特許出願公開第１０９４２８８２６号明細書
【発明の概要】
【発明が解決しようとする課題】
【０００４】
防塵機能付きのルーター放熱補助装置を提供することで、放熱機能と防塵機能のない問題を解決する。
【課題を解決するための手段】
【０００５】
上記の課題を解決するため、本願発明は以下の技術プランを採用する：本願発明である防塵機能付きのルーター放熱補助装置は、ハウジングを含み、前記ハウジングの中の上部には上方に開口した収納空間が設けられ、前記ハウジングの中の右部には伝動空間が設けられ、前記伝動空間の中には本願発明に動力を供給する伝動機構が設けられ、前記収納空間の中にはルーターを冷却する放熱装置が設けられ、前記ハウジングの右端には防塵効果を果たす埃集め機構が設けられ、
前記埃集め機構は前記収納空間の右壁に位置する羽根空間を含み、前記羽根空間が左方へ開口しており、前記羽根空間の右壁には外部と連通した吸気口が前記羽根空間と連通するように設置され、前記吸気口の上壁には下方に開口した移動空間が設けられ、前記移動空間の中には前記移動空間の中で左右にスライドできる移動ブロックが設けられ、前記移動ブロックの左面には圧縮ばねが固定的に設けられ、前記圧縮ばねの左端が前記移動空間の左壁と連結され、前記移動ブロックの右面には引き縄が固定的に連結され、前記移動ブロックの下面には前記吸気口の中に位置する濾過ブロックが固定的に設けられ、前記濾過ブロックの中には右方に開口したスライド溝が形成され、前記スライド溝の中には前記スライド溝の中で上下にスライドできる濾過板が設けられ、前記吸気口の下壁には収集空間が設けられ、前記収集空間の中には前記収集空間の中で左右に移動できる収集ブロックが設けられ、前記収集ブロックの左端には左方に開口した制限空間が設けられ、前記制限空間の中には前記制限空間の中で上下に移動できる制限ブロックが設けられ、前記制限ブロックの下面には復帰ばねが固定的に設けられ、前記復帰ばねの下端が前記制限空間の下壁と連結され、前記制限ブロックの左面には固定ブロックが固定的に設けられ、前記固定ブロックの中には下方に開口したスライド空間が設けられ、前記スライド空間の中には前記スライド空間の中で左右にスライドできるスライドブロックが設けられ、前記スライドブロックの右面には弾性ばねが固定的に設けられ、前記弾性ばねの右端が前記スライド空間の右壁と連結され、前記固定ブロックの上面が前記濾過板の下面と固定的に連結され、前記スライドブロックの下面にははざおが固定的に設けられ、前記はざおの前端面が前記回転歯車と噛合しており、前記固定ブロックの下面には弾力ばねが固定的に設けられ、前記弾力ばねの下端が前記収集空間の下壁と連結されている。
【０００６】
有益に、前記収集空間の下壁には上方に開口した押しブロック空間が設けられ、前記押しブロック空間の中には前記押しブロック空間の中で上下に移動できる押しブロックが設けられ、前記押しブロックの下面には伸縮ばねが固定的に設けられ、前記伸縮ばねの下端が前記押しブロック空間の下壁と連結され、前記押しブロックの左面にはロープが固定的に設けられ、前記伝動空間の左壁には右方に開口した妨害ブロック空間が設けられ、前記妨害ブロック空間の中には前記妨害ブロック空間の中で左右に移動できる妨害ブロックが設けられ、前記妨害ブロックの左面には圧力ばねが固定的に設けられ、前記圧力ばねの左端が前記妨害ブロック空間の左壁と連結され、前記妨害ブロックの左面には前記ロープの一端が固定的に連結されている。
【０００７】
有益に、前記伝動機構は、前記伝動空間の下壁に固定されたモーターを含み、前記モーターの上端には伝動軸が伝動できるように連結され、前記伝動軸の上端が前記羽根空間の中に挿入され、前記伝動軸の下端には第一傘歯車がキーによって連結され、前記第一傘歯車の中には上方に開口した回転空間が設けられ、前記回転空間の中には前記回転空間の中でスライドできる滑りブロックが設けられ、前記滑りブロックの上面には前記引き縄が固定的に連結され、前記伝動軸には前記第一傘歯車の下側に位置する回転盤が設けられ、前記回転盤の上面には二本の引っ張りばねが固定的に設けられ、前記引っ張りばねの上端が前記第一傘歯車の下面と連結され、前記伝動空間の右壁には回転軸が回転できるように設けられ、前記回転軸の左端には第二傘歯車が設けられ、前記回転軸の右端には回転歯車が設けられている。
【０００８】
有益に、前記放熱装置は、前記伝動軸の上端に設けられ且つ前記羽根空間の中に位置する第三傘歯車を含み、前記羽根空間の右壁にファン軸が回転できるように設けられ、前記ファン軸の右端には前記第三傘歯車と噛合した第四傘歯車が設けられ、前記ファン軸の左端には二つの羽根が設けられ、前記収納空間の中にはルーターが置かれている。
【０００９】
有益に、前記引っ張りばねの牽引力と前記第一傘歯車の重力との和は、前記第一傘歯車が前記伝動軸でスライドするときに受けた摩擦力より大きい。
【発明の効果】
【００１０】
本願発明は、構造と操作が簡単であり、作動中に発熱の酷いルーターに対して空冷を行い、空冷の過程において空気にある埃を濾過し、また、ルーター表面の気流によって埃がルーターの表面に付くことを阻止し、防塵効果を果たし、さらに、濾過後の埃を集めることによって、濾過板の濾過作用を維持する。
【図面の簡単な説明】
【００１１】
下記に図１〜３をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１２】
【図１】図１は本願発明の構成略図
【図２】図２は図１のＡの構成略図
【図３】図３は図２のＢの構成略図
【発明を実施するための形態】
【００１３】
図１〜３を参照し、本願発明である防塵機能付きのルーター放熱補助装置は、ハウジング１０を含み、前記ハウジング１０の中の上部には上方に開口した収納空間１４が設けられ、前記ハウジング１０の中の右部には伝動空間３２が設けられ、前記伝動空間３２の中には本願発明に動力を供給する伝動機構３７が設けられ、前記収納空間１４の中にはルーターを冷却する放熱装置１６が設けられ、前記ハウジング１０の右端には防塵効果を果たす埃集め機構３１が設けられ、前記埃集め機構３１は前記収納空間１４の右壁に位置する羽根空間２０を含み、前記羽根空間２０が左方へ開口しており、前記羽根空間２０の右壁には外部と連通した吸気口２８が前記羽根空間２０と連通するように設置され、前記吸気口２８の上壁には下方に開口した移動空間２４が設けられ、前記移動空間２４の中には前記移動空間２４の中で左右にスライドできる移動ブロック２３が設けられ、前記移動ブロック２３の左面には圧縮ばね２２が固定的に設けられ、前記圧縮ばね２２の左端が前記移動空間２４の左壁と連結され、前記移動ブロック２３の右面には引き縄２５が固定的に連結され、前記移動ブロック２３の下面には前記吸気口２８の中に位置する濾過ブロック２６が固定的に設けられ、前記濾過ブロック２６の中には右方に開口したスライド溝２９が形成され、前記スライド溝２９の中には前記スライド溝２９の中で上下にスライドできる濾過板２７が設けられ、前記吸気口２８の下壁には収集空間３０が設けられ、前記収集空間３０の中には前記収集空間３０の中で左右に移動できる収集ブロック６４が設けられ、前記収集ブロック６４の左端には左方に開口した制限空間６１が設けられ、前記制限空間６１の中には前記制限空間６１の中で上下に移動できる制限ブロック６２が設けられ、前記制限ブロック６２の下面には復帰ばね６３が固定的に設けられ、前記復帰ばね６３の下端が前記制限空間６１の下壁と連結され、前記制限ブロック６２の左面には固定ブロック５７が固定的に設けられ、前記固定ブロック５７の中には下方に開口したスライド空間５８が設けられ、前記スライド空間５８の中には前記スライド空間５８の中で左右にスライドできるスライドブロック５９が設けられ、前記スライドブロック５９の右面には弾性ばね６０が固定的に設けられ、前記弾性ばね６０の右端が前記スライド空間５８の右壁と連結され、前記固定ブロック５７の上面が前記濾過板２７の下面と固定的に連結され、前記スライドブロック５９の下面にははざお６８が固定的に設けられ、前記はざお６８の前端面が前記回転歯車７０と噛合しており、前記固定ブロック５７の下面には弾力ばね５６が固定的に設けられ、前記弾力ばね５６の下端が前記収集空間３０の下壁と連結されている。
【００１４】
有益に、前記収集空間３０の下壁には上方に開口した押しブロック空間６６が設けられ、前記押しブロック空間６６の中には前記押しブロック空間６６の中で上下に移動できる押しブロック６５が設けられ、前記押しブロック６５の下面には伸縮ばね６７が固定的に設けられ、前記伸縮ばね６７の下端が前記押しブロック空間６６の下壁と連結され、前記押しブロック６５の左面にはロープ８１が固定的に設けられ、前記伝動空間３２の左壁には右方に開口した妨害ブロック空間５３が設けられ、前記妨害ブロック空間５３の中には前記妨害ブロック空間５３の中で左右に移動できる妨害ブロック５４が設けられ、前記妨害ブロック５４の左面には圧力ばね５２が固定的に設けられ、前記圧力ばね５２の左端が前記妨害ブロック空間５３の左壁と連結され、前記妨害ブロック５４の左面には前記ロープ８１の一端が固定的に連結されている。
【００１５】
有益に、前記伝動機構３７は、前記伝動空間３２の下壁に固定されたモーター３８を含み、前記モーター３８の上端には伝動軸７６が伝動できるように連結され、前記伝動軸７６の上端が前記羽根空間２０の中に挿入され、前記伝動軸７６の下端には第一傘歯車５１がキーによって連結され、前記第一傘歯車５１の中には上方に開口した回転空間７２が設けられ、前記回転空間７２の中には前記回転空間７２の中でスライドできる滑りブロック５０が設けられ、前記滑りブロック５０の上面には前記引き縄２５が固定的に連結され、前記伝動軸７６には前記第一傘歯車５１の下側に位置する回転盤７４が設けられ、前記回転盤７４の上面には二本の引っ張りばね７３が固定的に設けられ、前記引っ張りばね７３の上端が前記第一傘歯車５１の下面と連結され、前記伝動空間３２の右壁には回転軸６９が回転できるように設けられ、前記回転軸６９の左端には第二傘歯車７１が設けられ、前記回転軸６９の右端には回転歯車７０が設けられている。
【００１６】
有益に、前記放熱装置１６は、前記伝動軸７６の上端に設けられ且つ前記羽根空間２０の中に位置する第三傘歯車１８を含み、前記羽根空間２０の右壁にファン軸２１が回転できるように設けられ、前記ファン軸２１の右端には前記第三傘歯車１８と噛合した第四傘歯車１９が設けられ、前記ファン軸２１の左端には二つの羽根１７が設けられ、前記収納空間１４の中にはルーター１５が置かれている。
【００１７】
有益に、前記引っ張りばね７３の牽引力と前記第一傘歯車５１の重力との和は、前記第一傘歯車５１が前記伝動軸７６でスライドするときに受けた摩擦力より大きい。
【００１８】
初期状態に、前記第一傘歯車５１が自重と前記引っ張りばね７３の影響により前記第二傘歯車７１の下側に位置し、前記第一傘歯車５１と前記第二傘歯車７１が噛合していなく、前記移動ブロック２３が前記移動空間２４の右部に位置し、前記引き縄２５が緩んでいる。
【００１９】
ルーターを放熱させるとき、まずモーター３８を起動し、モーター３８が伝動軸７６を回転させることによって第一傘歯車５１と第三傘歯車１８が回転し、第三傘歯車１８と噛み合った第四傘歯車１９が第三傘歯車１８の回転によって回転し、第四傘歯車１９がファン軸２１とファン軸２１の左端にある二つの羽根１７を回転させ、羽根１７の回転により外部の冷たい空気が吸気口２８から吸い込まれてルーター１５を冷却する。
防塵時、羽根１７が吸気口２８から冷たい空気を吸い込み、空気にある埃が濾過ブロック２６と濾過板２７に濾過され、羽根１７の回転によりルーター１５の表面に気流が生成されたため、空気にある埃がルーター１５の表面に吸着しなく、すなわちルーターに対する防塵効果が果たされ、濾過板２７にある埃が多くなったとき、濾過板２７にある穴が詰まり、空気が濾過板２７を通ることができなくなり、羽根１７の回転から生成された吸引力が濾過ブロック２６と濾過板２７を左方へ吸うことによって圧縮ばね２２が左方へ移動し引き縄２５を引き締め、第一傘歯車５１が引き縄２５の牽引力により上方へ移動し第二傘歯車７１と噛み合い、第一傘歯車５１が上昇し妨害ブロック５４を越え、妨害ブロック５４が圧力ばね５２の作用により第一傘歯車５１の下側まで右方へ移動し、第一傘歯車５１が妨害ブロック５４に止められて降下できないことによって第一傘歯車５１と第二傘歯車７１が常に噛合状態にあり、第一傘歯車５１が回転し第二傘歯車７１を回転させることで回転軸６９と回転軸６９の右端にある回転歯車７０を回転させ、回転歯車７０と噛合したはざお６８が回転歯車７０の回転により降下し固定ブロック５７と濾過板２７を下方へ移動させ、濾過板２７の降下によって濾過板２７の表面にある埃が収集ブロック６４の縁部に掻き落とされて収集ブロック６４の中に落ちる。
本願発明をリセットするとき、固定ブロック５７が下方へ移動し押しブロック６５を押したら、押しブロック６５が降下しロープ８１を引き締め、妨害ブロック５４がロープ８１に引っ張られて左方へ移動して第一傘歯車５１を妨害しなくなり、第一傘歯車５１が自重と引っ張りばね７３の牽引力により降下し元の位置に戻り、第一傘歯車５１が第二傘歯車７１と噛み合わなくなり、羽根１７と固定ブロック５７が弾力ばね５６の弾力により上方へ移動し元の位置に戻る。
【００２０】
以上に述べたのはただ本願発明の具体的な実施方式で、本願発明の保護範囲はここに限らないである。全部の創造的な労働を通じなく思いついた変化と取替は本願発明の保護範囲にカバーされる。だから本願発明の保護範囲は権利要求書が限定される保護範囲を標準とする。
【要約】
【課題】本願発明は防塵機能付きのルーター放熱補助装置を開示した。
【解決手段】
ハウジングを含み、前記ハウジングの中の上部には上方に開口した収納空間が設けられ、前記ハウジングの中の右部には伝動空間が設けられ、前記伝動空間の中には本願発明に動力を供給する伝動機構が設けられ、前記収納空間の中にはルーターを冷却する放熱装置が設けられ、前記ハウジングの右端には防塵効果を果たす埃集め機構が設けられ、前記埃集め機構は前記収納空間の右壁に位置する羽根空間を含み、前記羽根空間が左方へ開口しており、前記羽根空間の右壁には外部と連通した吸気口が前記羽根空間と連通するように設置されている。
【選択図】図１【図１】
0006853432.tif 000002
【図２】
0006853432.tif 000003
【図３】
0006853432.tif 000004